(57)【特許請求の範囲】
【請求項１】
周期ＳＲＳ（Sounding  Reference  Signal）と非周期ＳＲＳの送信を行う移動端末装置であって、
非周期ＳＲＳをトリガーしないことを指示するビット情報、及び所定のデフォルトＳＲＳパラメータを用いて非周期ＳＲＳを送信することをそれぞれ指示する複数のビット情報の中から選択された特定のビット情報を下り制御チャネルで受信する受信部と、
前記特定のビット情報に基づいて非周期ＳＲＳの送信タイミングを制御すると共に、所定の周期で周期ＳＲＳの送信タイミングを制御するＳＲＳ送信設定部と、を有し、
前記ＳＲＳ送信設定部は、前記非周期ＳＲＳの送信タイミングと前記周期ＳＲＳの送信タイミングが同一サブフレームで重なる場合に、非周期ＳＲＳの送信を優先して行い、周期ＳＲＳの送信を行わないことを特徴とする移動端末装置。
【請求項２】
前記所定のデフォルトＳＲＳパラメータが上位レイヤで通知されることを特徴とする請求項１に記載の移動端末装置。
【請求項３】
移動端末装置の周期ＳＲＳ（Sounding  Reference  Signal）と非周期ＳＲＳの送信を制御する無線通信方法であって、
無線基地局装置が、非周期ＳＲＳをトリガーしないことを指示するビット情報、及び所定のデフォルトＳＲＳパラメータを用いて非周期ＳＲＳを送信することをそれぞれ指示する複数のビット情報の中から選択した特定のビット情報を下りリンク制御チャネルを用いて前記移動端末装置に通知するステップと、
前記移動端末装置が、前記特定のビット情報に基づいて非周期ＳＲＳの送信を行うと共に、所定の周期で周期ＳＲＳの送信を行うステップと、を有し、
前記移動端末装置は、非周期ＳＲＳと周期ＳＲＳの送信タイミングが同一サブフレームで重なる場合に、非周期ＳＲＳの送信を優先して行い、周期ＳＲＳの送信を行わないことを特徴とする無線通信方法。
【請求項４】
前記無線基地局装置は、前記移動端末装置に対して、前記所定のデフォルトＳＲＳパラメータを上位レイヤで通知することを特徴とする請求項３に記載の無線通信方法。
【請求項５】
移動端末装置の周期ＳＲＳ（Sounding  Reference  Signal）と非周期ＳＲＳの送信を制御する無線通信システムであって、
前記移動端末装置は、非周期ＳＲＳをトリガーしないことを指示するビット情報、及び所定のデフォルトＳＲＳパラメータを用いて非周期ＳＲＳを送信することをそれぞれ指示する複数のビット情報の中から選択された特定のビット情報を下り制御チャネルで受信する受信部と、前記特定のビット情報に基づいて非周期ＳＲＳの送信タイミングを制御すると共に、所定の周期で周期ＳＲＳの送信タイミングを制御するＳＲＳ送信設定部と、を有し、
前記ＳＲＳ送信設定部は、前記非周期ＳＲＳの送信タイミングと前記周期ＳＲＳの送信タイミングが同一サブフレームで重なる場合に、非周期ＳＲＳの送信を優先して行い、周期ＳＲＳの送信を行わないことを特徴とする無線通信システム。
【請求項６】
前記移動端末装置は、前記所定のデフォルトＳＲＳパラメータを上位レイヤから通知されることを特徴とする請求項５に記載の無線通信システム。
【発明の詳細な説明】
【技術分野】
【０００１】
本発明は、移動端末装置、無線通信方法及び無線通信システムに関し、特に、次世代無線通信システムにおける移動端末装置、無線通信方法及び無線通信システムに関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている（例えば、非特許文献１参照）。
【０００３】
第３世代のシステムは、概して５ＭＨｚの固定帯域を用いて、下り回線で最大２Ｍｂｐｓ程度の伝送レートを実現できる。一方、ＬＴＥ方式のシステム（ＬＴＥシステム）においては、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。ＬＴＥ−Ａにおいては、ＬＴＥ仕様の最大システム帯域である２０ＭＨｚを、下り回線で１００ＭＨｚ程度、上り回線で４０−６０ＭＨｚ程度まで拡張することが予定されている。
【０００４】
ところで、ＬＴＥシステムにおいては、無線基地局装置（ＢＳ：Base  Station）が、移動端末装置（ＵＥ：User  Equipment）から送信されるチャネル品質測定用のＳＲＳ（Sounding  Reference  Signal）に基づいて上りリンクのチャネル品質を測定することが検討されている（例えば、非特許文献２参照）。この場合、無線基地局装置は、チャネル品質の測定結果に基づいて、移動端末装置が上りリンク共有チャネル（ＰＵＳＣＨ：Physical  Uplink  Shared  Channel）信号を送信するためのスケジューリングを行い、下りリンク制御チャネル（ＰＤＣＣＨ：Physical  Downlink  Control  Channel）を用いて指示する。Ｒｅｌｅａｓｅ  ８  ＬＴＥにおいて、ＳＲＳは、上りリンクの無線フレームを構成するサブフレームの最終シンボルに多重され、周期的に移動端末装置から無線基地局装置に送信される。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【非特許文献２】3GPP,  TS36.213  (V8.7.0),  "Evolved  Universal  Terrestrial  Radio  Access  (E-UTRA);  Physical  layer  procedures  (Release  8)",  May.  2009
【発明の概要】
【発明が解決しようとする課題】
【０００６】
しかしながら、ＬＴＥシステムにおいては、移動端末装置から上りリンクで送信するＰＵＳＣＨ信号が存在しない場合においても、ＳＲＳが周期的に無線基地局装置に送信されている。このため、ＰＵＳＣＨ信号の有無とは無関係にＳＲＳの送信に用いられる無線リソースが固定的に使用され、無線リソースを効率的に使用することが困難であるという問題がある。
【０００７】
図１２は、ＬＴＥシステムにおけるＳＲＳの送信方法について説明するための図である。図１２に示すように、ＬＴＥシステムにおいて、チャネル品質測定用のＳＲＳは、上りリンク（ＵＬ：Uplink）の無線フレームを構成するサブフレーム（サブフレーム＃ｎ〜＃ｎ＋９）の最終シンボルに多重され、周期的に移動端末装置から無線基地局装置に送信される。図１２においては、ＳＲＳ送信周期を５ｍｓｅｃとしてサブフレーム＃ｎ＋１、＃ｎ＋６の最終シンボルにＳＲＳが多重された場合を示している。
【０００８】
一方、ＰＵＳＣＨ信号は、ＰＤＣＣＨに含まれる上りリンク（ＵＬ）スケジューリンググラントの通知を受けた後、４ＴＴＩ（Transmission  Time  Interval：伝送時間間隔）後に上りリンクで送信される。なお、上りリンクスケジューリンググラントには、上りリンク共有チャネルに関し、上りリンクのリソースブロック（Ｒｅｓｏｕｒｃｅ  Ｂｌｏｃｋ）の割り当て情報、ＵＥのＩＤ、データサイズ、変調方式、上りリンクの送信電力情報、Ｕｐｌｉｎｋ  ＭＩＭＯにおけるデモジュレーション  レファレンス  シグナル（Ｄｅｍｏｄｕｌａｔｉｏｎ  Ｒｅｆｅｒｅｎｃｅ  Ｓｉｇｎａｌ）の情報等が含まれる。
【０００９】
サブフレームは、誤り訂正符号化（チャネル符号化）された１データ・パケットの送信時間単位であり、１ＴＴＩに等しい。このため、ＵＬスケジューリンググラントの通知を受けると、４サブフレーム後にＰＵＳＣＨが送信される。図１２においては、下りリンク（ＤＬ：Downlink）の無線フレームを構成するサブフレーム（サブフレーム＃ｍ〜＃ｍ＋９）のうち、サブフレーム＃ｍ〜＃ｍ＋２及び＃ｍ＋４でＵＬスケジューリンググラントが通知され、これらのＵＬスケジューリンググラントに応じて上りリンク（ＵＬ）のサブフレーム＃ｎ＋４〜＃ｎ＋６及び＃ｎ＋８でＰＵＳＣＨ信号が送信される場合を示している。
【００１０】
図１２に示すように、ＳＲＳは、各サブフレームで送信されるＰＵＳＣＨ信号の有無とは無関係に送信されることから、仮にＵＬスケジューリンググラントの通知がなく、ＰＵＳＣＨ信号が送信されない場合においても、上りリンク（ＵＬ）で周期的に無線基地局装置に送信されることとなる。無線リソースを効率的に使用する観点からすると、無線基地局装置におけるチャネル品質測定を目的とするＳＲＳは、ＰＵＳＣＨ信号が送信される場合に測定されることが好ましい。しかしながら、ＬＴＥシステムにおいては、ＰＵＳＣＨ信号の有無とは無関係にＳＲＳの送信に用いられる無線リソースが固定的に使用されることから、無線リソースを効率的に使用することが困難となっている。さらに、ＬＴＥ−Ａにおいては、複数のアンテナを備えた移動端末装置によるＵＬマルチアンテナ伝送が検討されているため、複数アンテナ分のＳＲＳリソースが必要となることから、より効率的な無線リソースの使用が要求されることが想定される。
【００１１】
この問題を解決するために、例えば、ＬＴＥ−Ａにおいて任意のタイミングでＳＲＳの送信タイミングを制御する非周期ＳＲＳ（Aperiodic  SRS）の適用が考えられる。
【００１２】
しかしながら、非周期ＳＲＳを適用する場合には、ＳＲＳのトリガーの有無（送信タイミング）を制御する情報や、ＳＲＳを送信する場合の具体的な送信条件を制御するＳＲＳパラメータ（Ｃｏｍｂ、周波数位置、サイクリックシフト（Cyclic  shift）番号、帯域幅等）等のＳＲＳ送信制御情報を移動端末装置に対して適切に通知することが必要となる。
【００１３】
本発明は、このような問題点に鑑みてなされたものであり、非周期ＳＲＳを適用する場合において、移動端末装置に対してＳＲＳの送信タイミングやＳＲＳパラメータを適切に通知し、ＳＲＳの送信に用いられる無線リソースを効率的に使用することができる移動端末装置、無線通信方法及び無線通信システムを提供することを目的の一とする。
【課題を解決するための手段】
【００１４】
本発明の移動端末装置の一態様は、周期ＳＲＳ（Sounding  Reference  Signal）と非周期ＳＲＳの送信を行う移動端末装置であって、非周期ＳＲＳをトリガーしないことを指示するビット情報、及び所定のデフォルトＳＲＳパラメータを用いて非周期ＳＲＳを送信することをそれぞれ指示する複数のビット情報の中から選択された特定のビット情報を下り制御チャネルで受信する受信部と、前記特定のビット情報に基づいて非周期ＳＲＳの送信タイミングを制御すると共に、所定の周期で周期ＳＲＳの送信タイミングを制御するＳＲＳ送信設定部と、を有し、前記ＳＲＳ送信設定部は、前記非周期ＳＲＳの送信タイミングと前記周期ＳＲＳの送信タイミングが同一サブフレームで重なる場合に、非周期ＳＲＳの送信を優先して行い、周期ＳＲＳの送信を行わないことを特徴とする。
【００１５】
この構成によれば、ＳＲＳ送信制御情報を柔軟に設定して移動端末装置に通知できると共にＳＲＳの送信に用いられる無線リソースを効率的に使用することができる。
【００１６】
本発明の無線通信方法の一態様は、移動端末装置の周期ＳＲＳと非周期ＳＲＳの送信を制御する無線通信方法であって、無線基地局装置が、非周期ＳＲＳをトリガーしないことを指示するビット情報、及び所定のデフォルトＳＲＳパラメータを用いて非周期ＳＲＳを送信することをそれぞれ指示する複数のビット情報の中から選択した特定のビット情報を下りリンク制御チャネルを用いて前記移動端末装置に通知するステップと、前記移動端末装置が、前記特定のビット情報に基づいて非周期ＳＲＳの送信を行うと共に、所定の周期で周期ＳＲＳの送信を行うステップと、を有し、前記移動端末装置は、非周期ＳＲＳと周期ＳＲＳの送信タイミングが同一サブフレームで重なる場合に、非周期ＳＲＳの送信を優先して行い、周期ＳＲＳの送信を行わないことを特徴とする。
【００１７】
本発明の無線通信システムの一態様は、移動端末装置の周期ＳＲＳと非周期ＳＲＳの送信を制御する無線通信システムであって、前記移動端末装置は、非周期ＳＲＳをトリガーしないことを指示するビット情報、及び所定のデフォルトＳＲＳパラメータを用いて非周期ＳＲＳを送信することをそれぞれ指示する複数のビット情報の中から選択された特定のビット情報を下り制御チャネルで受信する受信部と、前記特定のビット情報に基づいて非周期ＳＲＳの送信タイミングを制御すると共に、所定の周期で周期ＳＲＳの送信タイミングを制御するＳＲＳ送信設定部と、を有し、前記ＳＲＳ送信設定部は、前記非周期ＳＲＳの送信タイミングと前記周期ＳＲＳの送信タイミングが同一サブフレームで重なる場合に、非周期ＳＲＳの送信を優先して行い、周期ＳＲＳの送信を行わないことを特徴とする。
【発明の効果】
【００１８】
本発明によれば、非周期ＳＲＳを適用する場合において、移動端末装置に対してＳＲＳの送信タイミングやＳＲＳパラメータを適切に通知し、ＳＲＳの送信に用いられる無線リソースを効率的に使用することができる。
【図面の簡単な説明】
【００１９】
【図１】非周期ＳＲＳの送信方法について説明するための図である。
【図２】ＵＬスケジューリンググラントにＳＲＳトリガーの有無に関する１ビット情報のみを含める場合のマッピングテーブルを示す図である。
【図３】ＵＬスケジューリンググラントにＳＲＳトリガーの有無に関する１ビット情報のみを含めた場合の非周期ＳＲＳの送信方法について説明するための図である。
【図４】本発明の実施の態様に係るＳＲＳ送信制御において、ＳＲＳトリガーの有無とＳＲＳパラメータに関する情報の一部をジョイントコーディングしたマッピングテーブルの一例を示す図である。
【図５】本発明の実施の態様に係るＳＲＳ送信制御において、ＳＲＳトリガーの有無とＳＲＳパラメータに関する情報の一部をジョイントコーディングしたマッピングテーブルの一例を示す図である。
【図６】本発明の実施の形態に係るＳＲＳ送信制御の手順を説明するための図である。
【図７】本発明の実施の形態に係る無線通信システムの構成を説明するための図である。
【図８】本発明の実施の形態に係る無線基地局装置の全体構成を示すブロック図である。
【図９】本発明の実施の形態に係る無線基地局装置が有するベースバンド信号処理部の機能ブロック図の一例を示す図である。
【図１０】本発明の実施の形態に係る移動端末装置の全体構成を示すブロック図である。
【図１１】本発明の実施の形態に係る移動端末装置が有するベースバンド信号処理部の機能ブロック図の一例を示す図である。
【図１２】ＬＴＥシステムにおける従来のＳＲＳの送信方法について説明するための図である。
【図１３】本発明の実施の態様に係るＳＲＳ送信制御において、異なるＤＣＩフォーマットに適用するマッピングテーブルの一例を示す図である。
【図１４】本発明の実施の態様に係るＳＲＳ送信制御において、同一のＤＣＩフォーマットに適用するビット数が異なるマッピングテーブルの一例を示す図である。
【図１５】非周期ＳＲＳと周期ＳＲＳを組み合わせた送信方法について説明するための図である。
【発明を実施するための形態】
【００２０】
（実施の形態１）
非周期ＳＲＳについて図１を参照して説明する。図１は、無線基地局装置において、サブフレーム＃ｍ、＃ｍ＋４のＵＬスケジューリンググラントが、ＳＲＳの送信指示（すなわち、ＳＲＳの送信オンの識別ビット）を含むＵＬスケジューリンググラントとして選択された場合を示している。移動端末装置は、ＳＲＳの送信指示を含むＵＬスケジューリンググラントの通知を受けると、これに応じて、例えば、４サブフレーム後のサブフレーム＃ｎ＋４、＃ｎ＋８で送信するＰＵＳＣＨ信号と共にＳＲＳを無線基地局装置に送信することができる。
【００２１】
この場合、ＳＲＳは、送信指示を含むＵＬスケジューリンググラントで送信が指示されるＰＵＳＣＨ信号と同一のサブフレームで送信されることから、サブフレーム＃ｎ＋４、＃ｎ＋８の最終シンボルに多重される。すなわち、ＳＲＳは、サブフレーム＃ｎ＋４、＃ｎ＋８に割り当てられたＰＵＳＣＨの後に連続して多重される。無線基地局装置においては、このようにＰＵＳＣＨに連続して多重されるＳＲＳに基づいてチャネル品質を測定し、移動端末装置におけるＰＵＳＣＨ信号の送信のためのスケジューリングを行う。このため、実際にＰＵＳＣＨ信号が送信されるタイミングにおけるチャネル品質を測定することができるので、実際のチャネル状態を反映してスケジューリングを行うことが可能となる。
【００２２】
このように、任意のタイミングでＳＲＳの送信を制御することにより、ＳＲＳの送信に用いられる無線リソースを柔軟に設定することが可能となる。しかしながら、その一方で、非周期ＳＲＳの送信を行う場合には、上述したようにＳＲＳの送信タイミングを制御する情報（ＳＲＳトリガーの有無）やＳＲＳを送信する場合の具体的な送信条件を制御するＳＲＳパラメータ（ｃｏｍｂ、周波数位置、サイクリックシフト番号、帯域幅等）等のＳＲＳ送信制御情報を、移動端末装置に対して適切に通知することが必要となる。
【００２３】
例えば、上述したようにＵＬスケジューリンググラントにＳＲＳの送信指示の情報を含めて、つまり下りリンク制御チャネルを用いて、ＳＲＳのトリガーの有無を制御する場合、ＳＲＳの送信条件を規定するＳＲＳパラメータ等の他の情報の通知をどのように制御して行うか等のシグナリング方法については具体的に決まっておらず、今後の検討課題となっている。そこで、本発明者は、移動端末装置に対してＳＲＳの送信制御情報の適切な通知方法を検討し、本願発明に至った。
【００２４】
まず、本発明者は、ＳＲＳの送信制御情報の通知方法として、ＵＬスケジューリンググラントに、ＳＲＳのトリガーの有無に関する情報（１ビット情報）のみを含めて移動端末装置に通知し、具体的な送信条件を規定するＳＲＳパラメータ（以下単に「ＳＲＳパラメータ」と記す）等の他の情報をＲＲＣシグナリングで通知する場合について検討した。
【００２５】
本発明者が検討を行ったところ、ＵＬスケジューリンググラントにＳＲＳのトリガーの有無に関する１ビット情報のみを含めて移動端末装置に通知する場合（図２参照）、無線リソースを十分に有効活用できないおそれがあることを見出した。
【００２６】
図２の場合、各移動端末装置が送信する非周期ＳＲＳのリソースはあらかじめ上位レイヤにおいて決められているため、異なる移動端末装置間でリソースの衝突を避けるように設定する場合には、ＳＲＳの送信を行わない移動端末装置に対してもリソースを確保することとなる（図３（ａ）参照）。その結果、ＳＲＳの送信において無線リソースの有効活用ができなくなる。
【００２７】
一方で、ＳＲＳの送信において無線リソースを有効活用するために、上位レイヤで決定される割当てリソースを複数の移動端末装置が共有するように設定する場合には、異なる移動端末装置間でＳＲＳの送信タイミングが衝突する場合がある。この場合、ＳＲＳを任意のタイミングで送信できなくなることや、ＳＲＳの送信が大きく遅延してしまう等の問題が考えられる（図３（ｂ）参照）。
【００２８】
また、ＳＲＳの送信制御情報の通知方法として、下りリンク制御チャネルに、トリガーの有無に関する情報やＳＲＳパラメータ等の全てのＳＲＳ送信制御情報を含めて移動端末装置に通知する方法が考えられる。しかし、この場合には、下りリンク制御チャネルのシグナリングオーバヘッドが著しく増大する問題が考えられる。
【００２９】
そこで、本発明者は、下りリンク制御チャネル（例えば、ＵＬスケジューリンググラント又はＤＬスケジューリンググラント）に２ビット以上のビットフィールドを設け、ＳＲＳのトリガーの有無に加えてＳＲＳパラメータに関する情報の一部を組み合わせてビット情報として規定（ジョイントコーディング）して移動端末装置に通知し、残りのＳＲＳパラメータ情報は上位レイヤにて通知することを見出した。これにより、ＳＲＳのトリガーの有無及びＳＲＳパラメータ等のＳＲＳ送信制御情報を柔軟に設定して移動端末装置に適切に通知することができる。また、ＳＲＳパラメータに関する情報の一部を下りリンク制御チャネルを用いて通知することにより、各移動端末装置が送信する非周期ＳＲＳのリソースの一部を下位レイヤにおいて制御することができるため、無線リソースを有効に活用することが可能となる。
【００３０】
また、本発明者は、ＳＲＳのトリガーの有無と組み合わせてビット情報として規定するＳＲＳパラメータに関する情報やビット数を、移動端末装置の通信状況（例えば、移動端末装置のアンテナ数、セル内における移動端末装置の位置（無線基地局装置との距離）、セル内の移動端末装置の数等）に基づいて選択することを見出した。これにより、移動端末装置の通信状況に応じて、ＳＲＳ送信制御情報を柔軟に設定し、移動端末装置に対してＳＲＳ送信制御情報を適切に通知することができる。
【００３１】
以下に、無線通信を行う移動端末装置に対して無線基地局装置がＳＲＳ送信制御情報を通知し、移動端末装置のＳＲＳの送信を制御する場合の非周期ＳＲＳの送信制御に関して説明する。なお、本実施の形態においては、ＬＴＥ−Ａに適用した例について説明するが、本発明はＬＴＥ−Ａに適用した場合に限定されるものではない。
【００３２】
本実施の形態に係る非周期ＳＲＳの送信制御は、無線基地局装置において、ＳＲＳのトリガーの有無とＳＲＳパラメータに関する情報の一部とが組合わされて規定されたビット情報を、下りリンク制御チャネルを用いて移動端末装置に通知して、移動端末装置の非周期ＳＲＳの送信を制御する。なお、ＳＲＳパラメータに関する情報の一部とは、ｃｏｍｂ、周波数位置、サイクリックシフト番号、帯域幅等のＳＲＳの送信に必要となる条件（ＳＲＳパラメータそのものの一部）、あらかじめ設定されたデフォルトＳＲＳパラメータからの差分値に関する情報、又はあらかじめ設定された複数のデフォルトＳＲＳパラメータからいずれを選択するか（選択情報）等のＳＲＳパラメータに関する情報をいう。
【００３３】
具体的には、無線基地局装置は、ＳＲＳのトリガーの有無とＳＲＳパラメータに関する情報の一部とが組み合わされてビット情報として規定されたＳＲＳトリガーフォーマットを設定し、当該ＳＲＳトリガーフォーマット中から移動端末装置のＳＲＳの送信制御に適用する所定のビット情報を選択する。そして、選択した所定のビット情報を下りリンク制御チャネルを用いて移動端末装置に通知する。なお、設定したＳＲＳトリガーフォーマットは、移動端末装置に対してあらかじめＲＲＣシグナリング等を用いて通知する。
【００３４】
また、移動端末装置は、無線基地局装置から通知されるＳＲＳトリガーフォーマットをＲＲＣシグナリング等により受信する。また、下りリンク制御チャネルに割当てられた所定のビット情報も受信する。そして、移動端末装置は、受信したＳＲＳトリガーフォーマット及び所定のビット情報等に基づいてＳＲＳの送信内容（ＳＲＳのトリガーの有無、ＳＲＳの送信条件等）を特定し、ＳＲＳの送信制御を行う。なお、ＳＲＳの送信制御情報の中で下りリンク制御チャネルに割当てられない情報（ＳＲＳトリガーフォーマットに規定されないＳＲＳパラメータに関する情報等）は、ＲＲＣシグナリング等により別途移動端末装置に対して通知する構成とすることができる。
【００３５】
無線基地局装置は、ＳＲＳトリガーフォーマットの設定法として、互いに異種のＳＲＳパラメータが規定された複数のＳＲＳトリガーフォーマット（「マッピングテーブル」ともいう）の中から特定のマッピングテーブルを選択する構成とすることができる。複数のマッピングテーブルは、ＳＲＳパラメータの種類に応じて設定され、無線基地局装置は、移動端末装置に適用する特定のマッピングテーブルを選択して、ＲＲＣシグナリング等により移動端末装置に通知する。
【００３６】
あるいは、無線基地局装置は、ＳＲＳトリガーフォーマットの設定法として、デフォルトのＳＲＳパラメータをＲＲＣシグナリング等により移動端末装置に通知すると共に、デフォルトのＳＲＳパラメータからの差分をＳＲＳトリガーの有無と組み合わせて規定し、下りリンク制御チャネルを用いて通知する手法としてもよい。この場合、マッピングテーブルは、デフォルトのＳＲＳパラメータからの差分として記載され、差分の具体的内容はＲＲＣシグナリングにより柔軟に変更できる構成としてもよい。
【００３７】
あるいは、無線基地局装置は、ＳＲＳトリガーフォーマットの設定法として、複数のデフォルトのＳＲＳパラメータをＲＲＣシグナリング等により移動端末装置に通知すると共に、どのデフォルトＳＲＳパラメータを用いるか（デフォルトＳＲＳパラメータの選択情報）をＳＲＳトリガーの有無と組み合わせて規定し、下りリンク制御チャネルを用いて通知する手法としてもよい。以下に、図４〜図５を参照してマッピングテーブルの具体例について説明する。
【００３８】
図４は、ＳＲＳトリガーフォーマット（マッピングテーブル）を２ビットのビット情報で規定する場合を示している。図４（ａ）〜（ｃ）では、複数のマッピングテーブルとして、それぞれ異種のＳＲＳパラメータが規定された３つのマッピングテーブルを示している。図４（ａ）は、ＰＤＣＣＨで通知するＳＲＳパラメータとして「Ｃｏｍｂ」を用いる場合を示し、図４（ｂ）は、ＰＤＣＣＨで通知するＳＲＳパラメータとして「周波数位置」を用いる場合を示し、図４（ｃ）は、ＰＤＣＣＨで通知するＳＲＳパラメータとして「サイクリックシフト番号（ＣＳ）」を用いる場合を示している。
【００３９】
また、図４（ｄ）、（ｅ）は、ＰＤＣＣＨで通知する内容として「デフォルトのＳＲＳパラメータからの差分」を用いる場合を示し、図４（ｆ）は、ＰＤＣＣＨで通知する内容として「複数のデフォルトのＳＲＳパラメータからの選択」を用いる場合を示している。以下に、各マッピングテーブルについて具体的に説明する。
【００４０】
図４（ａ）に示すマッピングテーブルは、少なくともＳＲＳを未送信とするビット情報と、ＳＲＳを送信するＣｏｍｂが規定されたビット情報とを有している。より具体的には、ビット情報「００」は、ＳＲＳを未送信とする（ＳＲＳをトリガーしない）ことを示し、ビット情報「０１」は、ＳＲＳをＣｏｍｂ０で送信する（ＳＲＳをトリガーする）ことを示し、ビット情報「１０」は、ＳＲＳをＣｏｍｂ１で送信する（ＳＲＳをトリガーする）ことを示し、ビット情報「１１」は、何も設定しない、あるいは将来の拡張用として予約しておくことを示している。なお、Ｃｏｍｂは、ＳＲＳを送信するサブキャリア位置を規定するパラメータであり、２種類の状態をとり得る。
【００４１】
また、本実施の形態では、ＳＲＳのトリガーの有無に関する情報と、ＳＲＳパラメータ（ここでは、Ｃｏｍｂ）に関する情報を別々に規定するのでなく、組み合わせてビット情報として規定（ジョイントコーディング）している。このように、ＳＲＳのトリガーの有無に関する情報と、ＳＲＳパラメータに関する情報をジョイントコーディングすることにより、ＰＤＣＣＨのビット数の増加を抑制し無線リソースを有効に利用することができる。
【００４２】
図４（ｂ）に示すマッピングテーブルは、少なくともＳＲＳを未送信とするビット情報と、ＳＲＳを送信する周波数位置が規定されたビット情報とを有している。より具体的には、ビット情報「００」は、ＳＲＳを未送信とすることを示し、ビット情報「０１」は、ＳＲＳを周波数位置０で送信することを示し、ビット情報「１０」は、ＳＲＳを周波数位置１で送信することを示し、ビット情報「１１」は、ＳＲＳを周波数位置２で送信することを示している。なお、周波数位置は、ＳＲＳを送信する周波数の位置を規定するパラメータであり、周波数位置の数はシステム帯域幅とユーザ毎のＳＲＳ帯域幅に基づいて設定される。
【００４３】
また、図４（ｂ）においても、図４（ａ）と同様にＳＲＳの送信有無に関する情報と、ＳＲＳパラメータ（ここでは、周波数位置）に関する情報をジョイントコーディングしており、ＰＤＣＣＨのビット数の増加が抑制されている。
【００４４】
図４（ｃ）に示すマッピングテーブルは、少なくともＳＲＳを未送信とするビット情報と、ＳＲＳを送信する際に適用するサイクリックシフト番号が規定されたビット情報とを有している。より具体的には、ビット情報「００」は、ＳＲＳを未送信とすることを示し、ビット情報「０１」は、ＳＲＳをＣＳ０で送信することを示し、ビット情報「１０」は、ＳＲＳをＣＳ１で送信することを示し、ビット情報「１１」は、ＳＲＳをＣＳ２で送信することを示している。なお、サイクリックシフト番号は、サイクリックシフトを用いて直交多重を行う際に、サイクリックシフト量を規定するパラメータであり、８通りの状態を有する。マッピングテーブルにおけるサイクリックシフト番号の規定は、例えば図４（ｃ）の例のように連続する並び（ＣＳ０、ＣＳ１、ＣＳ１）としても良いし、離散的なマッピング（例えば、ＣＳ０、ＣＳ３、ＣＳ６）としても良い。
【００４５】
また、図４（ｃ）においても、図４（ａ）、（ｂ）と同様に、ＳＲＳの送信有無に関する情報と、ＳＲＳパラメータ（ここでは、サイクリックシフト番号）に関する情報をジョイントコーディングしており、ＰＤＣＣＨのビット数の増加が抑制されている。
【００４６】
図４（ｄ）に示すマッピングテーブルは、少なくともＳＲＳを未送信とするビット情報と、ＲＲＣシグナリングによって別途通知されるデフォルトのＳＲＳパラメータにて送信することを指示するビット情報と、デフォルトパラメータからのサイクリックシフト差分を通知するサイクリックシフト量が規定されたビット情報とを有している。より具体的には、ビット情報「００」は、ＳＲＳを未送信とすることを示し、ビット情報「０１」は、ＳＲＳをデフォルトのＳＲＳパラメータで送信することを示し、ビット情報「１０」は、ＳＲＳをデフォルトのＳＲＳパラメータからサイクリックシフト量をｘ値シフトして送信することを示し、ビット情報「１１」は、ＳＲＳをデフォルトのＳＲＳパラメータからサイクリックシフト量をｙ値シフトして送信することを示す。ここで、サイクリックシフト量のｘ値、ｙ値は予め決められていても良いし、ＲＲＣシグナリングで柔軟に変更されるようにしても良い。
【００４７】
図４（ｅ）に示すマッピングテーブルは、少なくともＳＲＳを未送信とするビット情報と、ＲＲＣシグナリングによって別途通知されるデフォルトのＳＲＳパラメータにて送信することを指示するビット情報と、デフォルトパラメータからのＣｏｍｂの違い、あるいはサイクリックシフト差分を通知するサイクリックシフト量が規定されたビット情報とを有している。より具体的には、ビット情報「００」は、ＳＲＳを未送信とすることを示し、ビット情報「０１」は、ＳＲＳをデフォルトのＳＲＳパラメータで送信することを示し、ビット情報「１０」は、ＳＲＳをデフォルトのＳＲＳパラメータとは異なるＣｏｍｂにて送信することを示し、ビット情報「１１」は、ＳＲＳをデフォルトのＳＲＳパラメータからサイクリックシフト量をｘ値シフトして送信することを示す。ここで、サイクリックシフト量のｘ値は予め決められていても良いし、ＲＲＣシグナリングで柔軟に変更されるようにしても良い。
【００４８】
図４（ｆ）に示すマッピングテーブルは、少なくともＳＲＳを未送信とするビット情報と、ＲＲＣシグナリングによって別途通知される複数のデフォルトのＳＲＳパラメータのいずれかを用いて送信することを指示するビット情報とを有している。より具体的には、ビット情報「００」は、ＳＲＳを未送信とすることを示し、ビット情報「０１」は、ＳＲＳをデフォルトａのＳＲＳパラメータで送信することを示し、ビット情報「１０」は、ＳＲＳをデフォルトｂのＳＲＳパラメータで送信することを示し、ビット情報「１１」は、ＳＲＳをデフォルトｃのＳＲＳパラメータで送信することを示す。
【００４９】
また、本実施の形態において、ＳＲＳトリガーフォーマットに規定するＳＲＳパラメータやビット数の選択方法として、移動端末装置の通信状況（移動端末装置のアンテナ数、セル内における移動端末装置の位置（無線基地局装置との距離）、セル内の移動端末装置の数等）に基づいて行う構成とすることができる。
【００５０】
例えば、無線基地局装置が、上記図４（ａ）〜（ｃ）等に示すような互いに異種のＳＲＳパラメータが規定された複数のマッピングテーブルから任意のマッピングテーブルを選択する場合には、各マッピングテーブルに設定されているＳＲＳパラメータと移動端末装置の通信状況との関係に基づいて選択することができる。
【００５１】
具体的には、移動端末装置の通信状況によりＳＲＳパラメータの設定範囲が影響を受けにくいＳＲＳパラメータが規定されたマッピングテーブルを優先的に選択することが好ましい。
【００５２】
例えば、移動端末装置が複数のアンテナを使用する場合には、アンテナの多重に用いるパラメータ（例えば、サイクリックシフト番号）以外のＳＲＳパラメータが規定されたマッピングテーブル（図４（ａ）、（ｂ））を選択することが好ましい。これは、アンテナの多重にサイクリックシフト番号が用いられている場合に、ＳＲＳトリガーフォーマットに対してもサイクリックシフト番号を用いると、アンテナ多重とユーザ多重の双方に用いられることに起因して、ＳＲＳ送信制御情報の自由度が少なくなるおそれがあるからである。
【００５３】
また、広帯域でＳＲＳを送信する移動端末装置（例えば、セル近傍の移動端末装置）に対しては、周波数に関連するＳＲＳパラメータ（周波数位置、帯域等）以外のＳＲＳパラメータが規定されたマッピングテーブル（図４（ａ）、（ｃ））を選択することが好ましい。これは、広帯域でＳＲＳを送信する移動端末装置に対しては、周波数位置によるユーザ間多重の効果が得られないためである。
【００５４】
また、セル内の移動端末装置の数が多い場合には、マッピングテーブルにＳＲＳパラメータ等の情報を詳細に規定することが好ましい。そのため、この場合には、ビット数が多いマッピングテーブルを選択することが好ましい。
【００５５】
図５は、ＳＲＳトリガーフォーマット（マッピングテーブル）を３ビットのビット情報で規定する場合を示している。ここでは、複数のマッピングテーブルとして、それぞれ異種のＳＲＳパラメータを２つ（Ｃｏｍｂ、周波数位置又はサイクリックシフト番号のうち少なくとも２つ）規定する場合を示している。具体的に、図５（ａ）は、Ｃｏｍｂ及び周波数位置を用いる場合を示し、図５（ｂ）は、Ｃｏｍｂ及びサイクリックシフト番号を用いる場合を示し、図５（ｃ）は、周波数位置及びサイクリックシフト番号を用いる場合を示している。以下に、各マッピングテーブルについて具体的に説明する。
【００５６】
図５（ａ）に示すマッピングテーブルは、少なくともＳＲＳを未送信とするビット情報と、ＳＲＳを送信するＣｏｍｂ及び周波数位置が組合わされて規定されたビット情報とを有している。より具体的には、ビット情報「０００」は、ＳＲＳを未送信とすることを示し、ビット情報「００１」は、ＳＲＳをＣｏｍｂ０及び周波数位置０で送信することを示し、ビット情報「０１０」は、ＳＲＳをＣｏｍｂ０及び周波数位置１で送信することを示し、ビット情報「０１１」は、ＳＲＳをＣｏｍｂ０及び周波数位置２で送信することを示し、ビット情報「１００」は、ＳＲＳをＣｏｍｂ１及び周波数位置０で送信することを示し、ビット情報「１０１」は、ＳＲＳをＣｏｍｂ１及び周波数位置１で送信することを示し、ビット情報「１１０」は、ＳＲＳをＣｏｍｂ１及び周波数位置２で送信することを示し、ビット情報「１１１」は、何も設定しない、あるいは将来の拡張用として予約しておくことを示している。
【００５７】
つまり、ＳＲＳのトリガーの有無に関する情報と、ＳＲＳパラメータ（ここでは、Ｃｏｍｂ、周波数位置）に関する情報を別々に規定するのでなく、組み合わせてビット情報として規定（ジョイントコーディング）している。このように、ＳＲＳのトリガーの有無に関する情報と、複数のＳＲＳパラメータに関する情報をジョイントコーディングすることにより、ＰＤＣＣＨのビット数の増加を効果的に抑制することができる。
【００５８】
図５（ｂ）に示すマッピングテーブルは、少なくともＳＲＳを未送信とするビット情報と、ＳＲＳを送信するＣｏｍｂ及びサイクリックシフト番号が組合わされて規定されたビット情報とを有している。より具体的には、ビット情報「０００」は、ＳＲＳを未送信とすることを示し、ビット情報「００１」、「０１０」、「０１１」は、ＳＲＳをＣｏｍｂ０で送信すると共にそれぞれＣＳ０〜ＣＳ２で送信することを示し、ビット情報「１００」、「１０１」、「１１０」は、ＳＲＳをＣｏｍｂ１で送信すると共にそれぞれＣＳ０〜ＣＳ２で送信することを示し、ビット情報「１１１」は、何も設定しない、あるいは将来の拡張用として予約しておくことを示している。
【００５９】
図５（ｃ）に示すマッピングテーブルは、少なくともＳＲＳを未送信とするビット情報と、ＳＲＳを送信する周波数位置及びサイクリックシフト番号が組合わされて規定されたビット情報とを有している。より具体的には、ビット情報「０００」は、ＳＲＳを未送信とすることを示し、ビット情報「００１」、「０１０」、「０１１」は、ＳＲＳを周波数位置０で送信すると共にそれぞれＣＳ０〜ＣＳ２で送信することを示し、ビット情報「１００」、「１０１」、「１１０」は、ＳＲＳを周波数位置１で送信すると共にそれぞれＣＳ０〜ＣＳ２で送信することを示し、ビット情報「１１１」は、何も設定しない、あるいは将来の拡張用として予約しておくことを示している。
【００６０】
複数のマッピングテーブルとして、上記図５（ａ）〜（ｃ）が規定されている場合には、無線基地局装置は移動端末装置毎に任意のマッピングテーブルを選択し、ＳＲＳトリガーフォーマットとして移動端末装置に通知する。
【００６１】
また、無線基地局装置が、上記図５（ａ）〜（ｃ）等に示すような互いに異種のＳＲＳパラメータが規定された複数のマッピングテーブルから任意のマッピングテーブルを選択する場合には、上述したように移動端末装置の通信状況に基づいて行うことができる。
【００６２】
上記図５では、複数のマッピングテーブルとして、それぞれ異種のＳＲＳパラメータを２つ（Ｃｏｍｂ、周波数位置又はサイクリックシフト番号のうち少なくとも２つ）規定する場合を示したが、図４（ａ）〜（ｃ）の構成のように１種類のＳＲＳパラメータで規定してもよいし、３種類以上のＳＲＳパラメータで規定してもよい。あるいは、図４（ｄ）〜（ｆ）の構成のように、デフォルトパラメータをＲＲＣシグナリングで通知することを前提とした構成にしてもよい。
【００６３】
なお、複数のマッピングテーブルは、無線基地局装置の記憶部に記憶させて当該記憶部から選択する構成としてもよいし、他の無線通信装置に記憶されたマッピングテーブルから選択する構成としてもよい。また、図４、図５に示したマッピングテーブルは一例であり、マッピングテーブルに設定するＳＲＳパラメータに関する情報やその組み合わせもこれらに限られない。また、設定するビット数も２以上であれば限られない。
【００６４】
次に、上述したＳＲＳトリガーフォーマットの下りリンク制御チャネル（ＰＤＣＣＨ）への適用について具体的に説明する。ＰＤＣＣＨには、送信モードや送信情報に応じて複数の異なるＤＣＩ（Downlink  Control  information）フォーマットが規定されている。例えば、DCI  format0は上りリンク共有チャネル（ＰＵＳＣＨ）のスケジューリング情報の通知（ＵＬスケジューリンググラント）に用いられる。
【００６５】
本実施の形態では、ＳＲＳトリガーフォーマット中の所定のビット情報を、複数のＤＣＩフォーマットの中でＳＲＳに関する情報が規定されるいずれかのＤＣＩフォーマットに含めて前記移動端末装置へ通知する。また、ＳＲＳに関する情報は複数のＤＣＩフォーマットに規定することができ、例えば、第１のＤＣＩフォーマットと第２のＤＣＩフォーマットに少なくともＳＲＳに関する情報を規定する。なお、ＳＲＳに関する情報を規定するＤＣＩフォーマットの数は２つに限られない。
【００６６】
複数のＤＣＩフォーマットにＳＲＳに関する情報を規定する場合には、各ＤＣＩフォーマットに対応するＳＲＳトリガーフォーマット間で割当てのビット数や指示するＳＲＳ送信内容が異なる場合がある。例えば、DCI  format0では、ＳＲＳに関して１ビットの割当てが検討されている。また、ＵＬマルチアンテナ伝送用のＵＬスケジューリンググラントとしてDCI  format4が規定されることが検討されており、DCI  format4では、ＳＲＳに関して２ビット以上（２ビット又は３ビット）の割当てが検討されている。
【００６７】
この場合、ＳＲＳパラメータに関する情報としてDCI  format0では１通り規定でき、DCI  format4では３通り（２ビットの場合）又は７通り（３ビットの場合）規定できることとなる。つまり、DCI  format0とDCI  format4において規定できる内容が異なる。
【００６８】
例えば、DCI  format0に対して、図１３（ａ）に示すように、ＳＲＳを未送信とするビット情報「０」と、ＲＲＣシグナリングによって別途通知されるデフォルトＸのＳＲＳパラメータを用いて送信することを指示するビット情報「１」とを有するＳＲＳトリガーフォーマットを用いる。また、DCI  format4に対しては、図１３（ｂ）に示すように、ＳＲＳを未送信とするビット情報「００」と、複数のデフォルトａ、ｂ、ｃのＳＲＳパラメータのいずれかを用いて送信することを指示するビット情報「０１」、「１０」、「１１」とを有するＳＲＳトリガーフォーマットを用いる。なお、複数のデフォルトａ、ｂ、ｃのＳＲＳパラメータは、ＲＲＣシグナリングによって別途通知される。
【００６９】
このようにＳＲＳに関する情報が規定された各ＤＣＩフォーマットに対してＳＲＳトリガーフォーマットを設定する際、ＤＣＩフォーマット毎に異なる送信内容を規定する（Ｘがａ、ｂ、ｃのいずれとも異なる）と、１ユーザの中でＤＣＩフォーマット毎に割り当てるＳＲＳリソースを異なる構成とすることができるが、一方でＤＣＩフォーマット毎に独立にＳＲＳリソース割り当てを構成する必要があるためＳＲＳのリソース設計が複雑なものとなってしまう。
【００７０】
したがって、ＳＲＳに関する情報が規定されるＤＣＩフォーマットを複数規定する場合には、各ＤＣＩフォーマットに対応するＳＲＳトリガーフォーマットのＳＲＳ送信内容を共通に設定することが、ＲＲＣシグナリングオーバヘッドの削減の観点から好ましい。例えば、図１３においては、Ｘがａ、ｂ、ｃのいずれかと同一になるように設定する。このように、異なるＤＣＩフォーマットに対応するＳＲＳトリガーフォーマットの送信内容を共通に設定することにより、ＲＲＣシグナリングオーバヘッドを削減することが可能となる。
【００７１】
ＳＲＳに関する情報が規定される複数のＤＣＩフォーマット間で割当てビット数が異なる場合には、図１３に示すように、ビット数の小さいＳＲＳトリガーフォーマットに規定された送信内容がビット数の大きいＳＲＳトリガーフォーマットに規定された送信内容に含まれるように規定すればよい。
【００７２】
なお、図１３は、ＳＲＳに関する情報が規定されるＤＣＩフォーマットとして、ＵＬスケジューリンググラントとなるDCI  format0とDCI  format4を例に挙げて説明したが、その他のＤＣＩフォーマットにＳＲＳに関する情報を規定する構成としてもよい。例えば、ＤＬスケジューリンググラントとなるＤＣＩフォーマット（例えば、DCI  format1A等）にＳＲＳに関する情報を規定してもよい。この場合も、複数のＤＬスケジューリンググラントのＤＣＩフォーマットにＳＲＳに関する情報が規定する際に、各ＤＣＩフォーマットに対応するＳＲＳトリガーフォーマットのＳＲＳ送信内容を共通に設定することが好ましい。
【００７３】
また、ＳＲＳに関する情報が規定される所定のＤＣＩフォーマットにおいて、ビット数が異なる複数のＳＲＳトリガーフォーマットを設定し、所定の条件に基づいて適用するＳＲＳトリガーフォーマットを適宜選択する構成としてもよい。
【００７４】
例えば、DCI  format4において、設定するビット数（２ビット又は３ビット）を考慮してＳＲＳトリガーフォーマットに規定するＳＲＳ送信内容を設定することが好ましい。具体的には、相対的に少ないビット数（例えば、２ビット）に対応するＳＲＳトリガーフォーマットでは、ＳＲＳデフォルトのパラメータを通知する内容とする（図１４（ａ）参照）。これにより、ネットワーク側が指示できるリソースの自由度を大きくすることができる。
【００７５】
一方、相対的に多いビット数（例えば、３ビット）に対応するＳＲＳトリガーフォーマットでは、ＳＲＳデフォルトのパラメータから一部のパラメータをシフトする内容とする（図１４（ｂ）参照）。これにより、ＲＲＣシグナリングのオーバーヘッドを低減することが可能となる。
【００７６】
また、図１４に示すように異なるビット数に対応してＳＲＳトリガーフォーマットの送信内容を設定する場合には、選択するビット数に関してＲＲＣシグナリングを用いて適宜通知することにより、状況に応じて適宜制御する構成とすることができる。例えば、ユーザ数が少ない場合には、相対的に少ないビット数（例えば、２ビット）で規定されたＳＲＳトリガーフォーマットを適用して２ビット情報をＰＤＳＣＨで通知する。また、ユーザ数が所定数以上である場合には、相対的に多いビット（例えば、３ビット）で規定されたＳＲＳトリガーフォーマットを適用して３ビット情報をＰＤＳＣＨで通知する構成とすることができる。
【００７７】
このように、ビット数に応じてＳＲＳトリガーフォーマットのＳＲＳ送信内容を設定し、所定の条件に基づいて通知するビット数を選択することにより、ＳＲＳ送信制御情報を柔軟に設定し、無線リソースを効率的に使用することができる。
【００７８】
以下に、非周期ＳＲＳの送信制御の具体的な手順について図６を参照して説明する。
【００７９】
まず、無線基地局装置が、ＳＲＳのトリガーの有無とＳＲＳパラメータに関する情報の一部とが組み合わされてビット情報として規定されたＳＲＳトリガーフォーマットを設定し、移動端末装置に通知する（ｓｔｅｐ１１）。例えば、無線基地局装置は、上記図４、図５に示したような互いに異種のＳＲＳパラメータが規定された複数のマッピングテーブルの中から移動端末装置に対して所定のマッピングテーブルを選択し、ＳＲＳトリガーフォーマットとして移動端末装置に通知する。移動端末装置への通知は、ＲＲＣシグナリングを用いて行うことができる。また、図４（ｄ）−（ｆ）のように、デフォルトのＳＲＳパラメータを必要とする手法の場合は、併せてデフォルトのＳＲＳパラメータを通知する。
【００８０】
なお、無線基地局装置が、複数のマッピングテーブルから任意のマッピングテーブルを選択する場合には、上述したように、移動端末装置の通信状況に基づいて行うことができる。
【００８１】
次に、無線基地局装置は、設定したＳＲＳトリガーフォーマット（マッピングテーブル）の中から移動端末装置に対して適用する所定のビット情報を選択し、下りリンク制御チャネルを用いて移動端末装置に通知する（ｓｔｅｐ１２）。移動端末装置への通知は、ＵＬスケジューリンググラント又はＤＬスケジューリンググラントに含めて行うことができる。
【００８２】
次に、移動端末装置は、無線基地局装置から通知されるＳＲＳトリガーフォーマットと、下りリンク制御チャネルを用いて通知される所定のビット情報を受信し、これらの情報に基づいてＳＲＳの送信内容を特定する（ｓｔｅｐ１３）。なお、下りリンク制御チャネルに割当てられない他のＳＲＳの送信制御情報は、ＲＲＣシグナリング等により別途移動端末装置に対して通知される。
【００８３】
次に、移動端末装置は、特定したＳＲＳの送信内容に基づいて、ＳＲＳの送信を制御する（ｓｔｅｐ１４）。特定したＳＲＳの送信内容がＳＲＳを未送信とする（ＳＲＳをトリガーしない）情報である場合には、ＳＲＳの送信は行わない（ｓｔｅｐ１５）。一方、特定したＳＲＳの送信内容がＳＲＳをトリガーする情報を含んでいる場合には、移動端末装置に通知されたＳＲＳパラメータが規定する送信条件に基づいてＳＲＳの送信を行う（ｓｔｅｐ１６）。具体的には、特定したＳＲＳの送信内容やＲＲＣシグナリングにより通知された他のＳＲＳ送信制御情報を用いて所定の条件でＳＲＳを送信する。
【００８４】
（実施の形態２）
本実施の形態では、周期的に移動端末装置に送られる周期ＳＲＳ（Periodic  SRS）と非周期ＳＲＳ（Aperiodic  SRS）を組み合わせて適用する場合のＳＲＳの送信制御に関して説明する。
【００８５】
周期ＳＲＳと非周期ＳＲＳを組み合わせて適用する場合、周期ＳＲＳは所定の送信間隔で送信されるが、非周期ＳＲＳは無線基地局装置から通知されるＳＲＳ送信制御情報に基づいて送信が行われる。例えば、図１５に示すように、周期ＳＲＳは、送信周期を５ｍｓｅｃとして各サブフレームの最終シンボルに多重される。一方で、非周期ＳＲＳは、例えば、非周期ＳＲＳの送信指示を含むＵＬスケジューリンググラントの通知を受けた４サブフレーム後のサブフレームで送信するＰＵＳＣＨ信号と共に送信される。
【００８６】
この場合、ＵＬスケジューリンググラントの通知されるタイミングによっては、周期ＳＲＳと非周期ＳＲＳの送信タイミングが重なる場合が考えられる。その結果、ＳＲＳの送信が大きく遅延してしまう等のおそれがある。
【００８７】
そのため、周期ＳＲＳと非周期ＳＲＳを組み合わせて適用する場合に、周期ＳＲＳと非周期ＳＲＳの送信タイミングが重なった際に、送信タイミングが重なるサブフレームにおいて、いずれか一方のＳＲＳの送信を優先して行い、他方のＳＲＳの送信を行わない構成とする。これにより、周期ＳＲＳと非周期ＳＲＳを組み合わせて適用する場合であっても、周期ＳＲＳと非周期ＳＲＳの送信タイミングが重なることによるＳＲＳ送信遅延することを抑制することができる。
【００８８】
一例としては、ＰＵＳＣＨ信号が送信されるタイミングにおけるチャネル品質を測定できる非周期ＳＲＳを優先する構成とする。この場合、周期ＳＲＳと非周期ＳＲＳの送信タイミングが重なった際には周期ＳＲＳの送信を行わずに非周期ＳＲＳの送信を優先して行う。なお、通信環境に応じて周期ＳＲＳを優先してもよく、優先するＳＲＳはＲＲＣシグナリングで通知する構成とすることができる。
【００８９】
また、他の方法として、周期ＳＲＳと非周期ＳＲＳの送信タイミングを異なるサブフレームに分散して設定することにより、周期ＳＲＳと非周期ＳＲＳの送信タイミングの衝突自体を回避する構成としてもよい。
【００９０】
この場合、あるサブフレームは周期ＳＲＳのみを設定し、別のサブフレームに非周期ＳＲＳを設定する。例えば、送信周期が５ｍｓｅｃの周期ＳＲＳは、５×ｎサブフレーム（ｎは１以上の整数）にのみ設定し、非周期ＳＲＳを５×ｎ以外のサブフレームのいずれかに設定する構成とする。
【００９１】
なお、本実施の形態において、非周期ＳＲＳの送信制御に関しては、上記実施の形態１で示した構成を適用することができる。この場合、移動端末装置が、無線基地局装置から通知されるＳＲＳ送信制御情報に基づいて非周期のＳＲＳを無線基地局に対して送信すると共に、所定の周期で周期ＳＲＳを送信する。
【００９２】
（実施の形態３）
以下に、上述した参照信号の送信制御を適用する無線基地局装置及び移動端末装置の構成等について説明する。ここでは、ＬＴＥ−Ａ方式のシステム（ＬＴＥ−Ａシステム）に対応する無線基地局装置及び移動端末装置を用いる場合について説明する。
【００９３】
まず、図７を参照しながら、移動端末装置１００及び無線基地局装置２００を有する無線通信システム１０について説明する。図７は、本発明の一実施の形態に係る移動端末装置１００及び無線基地局装置２００を有する無線通信システム１０の構成を説明するための図である。なお、図７に示す無線通信システム１０は、例えば、ＬＴＥシステム又はＳＵＰＥＲ  ３Ｇが包含されるシステムである。また、この無線通信システム１は、ＩＭＴ−Ａｄｖａｎｃｅｄと呼ばれても良いし、４Ｇと呼ばれても良い。
【００９４】
図７に示すように、無線通信システム１０は、無線基地局装置２００と、この無線基地局装置２００と通信する複数の移動端末装置１００（１００１、１００２、１００３、・・・１００ｎ、ｎはｎ＞０の整数）とを含んで構成されている。無線基地局装置２００は、上位局装置３０と接続され、この上位局装置３０は、コアネットワーク４０と接続される。移動端末装置１００は、セル５０において無線基地局装置２００と通信を行っている。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００９５】
無線通信システム１０においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）又はクラスタ化ＤＦＴ拡散ＯＦＤＭ（Clustered  DFT-Spread  OFDM）が適用される。
【００９６】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。クラスタ化ＤＦＴ拡散ＯＦＤＭは、非連続的なクラスタ化されたサブキャリアのグループ（クラスタ）を１台の移動端末ＵＥに割り当て、各クラスタに離散フーリエ変換拡散ＯＦＤＭを適用することにより、上りリンクの多元接続を実現する方式である。
【００９７】
ここで、ＬＴＥシステムにおける通信チャネルについて説明する。下りリンクについては、各移動端末装置１００で共有されるＰＤＳＣＨと、下りＬ１／Ｌ２制御チャネル（ＰＤＣＣＨ、ＰＣＦＩＣＨ、ＰＨＩＣＨ）とが用いられる。このＰＤＳＣＨにより、ユーザデータ、すなわち、通常のデータ信号が伝送される。送信データは、このユーザデータに含まれる。なお、送信識別ビットを含むＵＬスケジューリンググラントやＤＬスケジューリンググラントは、Ｌ１／Ｌ２制御チャネル（ＰＤＣＣＨ）により移動端末装置１００に通知される。
【００９８】
上りリンクについては、各移動端末装置１００で共有して使用されるＰＵＳＣＨと、上りリンクの制御チャネルであるＰＵＣＣＨとが用いられる。このＰＵＳＣＨにより、ユーザデータが伝送される。また、ＰＵＣＣＨにより、下りリンクの無線品質情報（ＣＱＩ：Channel  Quality  Indicator）等が伝送される。
【００９９】
次に、図８を参照して、無線基地局装置の機能構成について説明する。図８は、無線基地局装置の機能ブロック図の一例である。
【０１００】
図８に示すように、無線基地局装置２００は、送受信アンテナ２０２と、アンプ部２０４と、送受信部２０６と、ベースバンド信号処理部２０８と、呼処理部２１０と、伝送路インターフェース２１２とを備えて構成されている。送受信アンテナ２０２は複数有していてもよい。
【０１０１】
上りリンクのデータについては、送受信アンテナ２０２で受信した無線周波数信号がアンプ部２０４において、ＡＧＣの下で受信電力が一定電力に補正されるように増幅される。増幅された無線周波数信号は、送受信部２０６においてベースバンド信号へ周波数変換される。このベースバンド信号は、ベースバンド信号処理部２０８で所定の処理（誤り訂正、複合など）がなされた後、伝送路インターフェース２１２を介して図示しないアクセスゲートウェイ装置に転送される。アクセスゲートウェイ装置は、コアネットワークに接続されており、各移動端末を管理している。
【０１０２】
下りリンクのデータについては、上位装置から伝送路インターフェース２１２を介してベースバンド信号処理部２０８に入力される。ベースバンド信号処理部２０８では、再送制御（H-ARQ（Hybrid  ARQ））の処理、スケジューリング、伝送フォーマット選択、チャネル符号化等がなされて送受信部２０６に転送される。送受信部２０６では、ベースバンド信号処理部２０８から出力されたベースバンド信号を無線周波数信号へ周波数変換する。周波数変換された信号は、その後、アンプ部２０４で増幅されて送受信アンテナ２０２から送信される。
【０１０３】
呼処理部２１０は、上位装置の無線制御局との間で呼処理制御信号を送受信し、無線基地局装置２００の状態管理やリソース割り当てをする。なお、レイヤ１処理部２０８１とＭＡＣ処理部２０８２における処理は、呼処理部２１０において設定されている、無線基地局装置２００と移動端末装置１００ｎとの間の通信状態に基づいてなされる。
【０１０４】
次に、図９を参照して、ベースバンド処理部の機能構成について説明する。図９は、無線基地局装置のベースバンド信号処理部の機能ブロック図である。
【０１０５】
図９に示すように、ベースバンド信号処理部２０８は、レイヤ１処理部２０８１と、ＭＡＣ（Medium  Access  Control）処理部２０８２と、ＲＬＣ処理部２０８３と、ＳＲＳトリガーフォーマット設定部２０８４と、ＳＲＳ設定部２０８５と、下りリンクチャネル設定通知部２０８６とを有している。
【０１０６】
レイヤ１処理部２０８１は、主に物理レイヤに関する処理を行う。レイヤ１処理部２０８１では、例えば、上りリンクで受信した信号に対して、チャネル復号化、離散フーリエ変換（ＤＦＴ）、周波数デマッピング、逆フーリエ変換（ＩＦＦＴ）、データ復調等の処理が行われる。また、下りリンクで送信する信号に対して、チャネル符号化、データ変調、周波数マッピング、逆フーリエ変換（IFFT）等の処理を行う。
【０１０７】
ＭＡＣ処理部２０８２は、上りリンクで受信した信号に対するＭＡＣレイヤでの再送制御（HARQ）、上り／下りリンクに対するスケジューリング、ＰＵＳＣＨ／ＰＤＳＣＨの伝送フォーマットの選択、ＰＵＳＣＨ／ＰＤＳＣＨのリソースブロックの選択等の処理を行う。
【０１０８】
ＲＬＣ処理部２０８３は、上りリンクで受信したパケット／下りリンクで送信するパケットに対して、パケットの分割、パケットの結合、ＲＬＣレイヤでの再送制御等を行う。
【０１０９】
ＳＲＳトリガーフォーマット設定部２０８４は、ＳＲＳのトリガーの有無とＳＲＳパラメータに関する情報の一部とが組み合わされてビット情報として規定されたＳＲＳトリガーフォーマットを設定する。設定されたＳＲＳトリガーフォーマットは、ＲＲＣシグナリング等により移動端末装置に通知される。また、ＳＲＳトリガーフォーマット設定部２０８４は、移動端末装置の通信状況に基づいてＳＲＳトリガーフォーマットに設定するＳＲＳパラメータに関する情報を選択する。
【０１１０】
また、ＳＲＳトリガーフォーマット設定部２０８４は、互いに異種のＳＲＳパラメータが規定された複数のＳＲＳトリガーフォーマット（マッピングテーブル）の中から移動端末装置の通信状況に基づいて、特定のＳＲＳトリガーフォーマットを選択することにより、ＳＲＳトリガーフォーマットを設定することができる。この場合、上記図４、図５で示したマッピングテーブル等を用いることができる。なお、複数のマッピングテーブルは、ＳＲＳトリガーフォーマット設定部２０８４内に記憶する構成としてもよいし、無線基地局装置内の記憶部に記憶させて当該記憶部から選択する構成としてもよい。また、他の無線通信装置に記憶されたマッピングテーブルから選択する構成としてもよい。
【０１１１】
ＳＲＳ設定部２０８５は、ＳＲＳトリガーフォーマット設定部２０８５において設定されたＳＲＳトリガーフォーマット中から、移動端末装置に通知する所定のビット情報を選択する。つまり、ＳＲＳ設定部２０８５は、移動端末装置に適用するＳＲＳ送信内容（ＳＲＳのトリガーの有無や、ＳＲＳを送信する場合の具体的な送信条件の一部）について設定する。
【０１１２】
下りリンクチャネル設定通知部２０８６は、移動端末装置に対するＳＲＳ設定部２０８５で選択された所定のビット情報の通知を、下りリンク制御チャネルを用いて制御する。また、下りリンクチャネル設定通知部２０８６は、所定のビット情報を、下りリンク制御チャネルの複数のＤＣＩフォーマットの中でＳＲＳに関する情報が規定されるいずれかのＤＣＩフォーマット（上りリンクスケジューリンググラント又は下りリンクスケジューリンググラント）に含めて移動端末装置へ通知することができる。
【０１１３】
次に、図１０を参照して、移動端末装置の機能構成について説明する。図１０は、本実施の形態における移動端末装置の機能ブロック図の一例である。
【０１１４】
図１０に示すように、移動端末装置１００ｎは、送受信アンテナ１０２と、送受信アンテナ１０２に対応したアンプ部１０４と、送受信部１０６と、ベースバンド信号処理部１０８と、呼処理部１１０と、アプリケーション部１１２とを備えて構成されている。
【０１１５】
上りリンクのデータについては、アプリケーション部１１２からベースバンド信号処理部１０８に入力される。ベースバンド信号処理部１０８では、再送制御（H-ARQ（Hybrid  ARQ））の処理、スケジューリング、伝送フォーマット選択、チャネル符号化、送信電力設定などがなされて、アンテナ毎に送受信部１０６に転送される。送受信部１０６では、ベースバンド信号処理部１０８から出力されたベースバンド信号をアンテナ毎に無線周波数信号へ周波数変換する。周波数変換された信号は、その後、アンプ部１０４で増幅されて送受信アンテナ１０２からアンテナ毎に送信される。
【０１１６】
下りリンクのデータについては、送受信アンテナ１０２で受信した無線周波数信号がアンプ部１０４において、ＡＧＣ（Auto  Gain  Control）の下で受信電力が一定電力に補正されるように増幅される。増幅された無線周波数信号は、送受信部１０６においてベースバンド信号へ周波数変換される。このベースバンド信号は、ベースバンド信号処理部１０８で所定の処理（誤り訂正、複合など）がなされた後、呼処理部１１０及びアプリケーション部１１２に転送される。呼処理部１１０は、無線基地局装置との通信の管理等を行い、アプリケーション部１１２は、物理レイヤやＭＡＣレイヤより上位のレイヤに関する処理等を行う。
【０１１７】
次に、図１１を参照して、上記図１０に示した移動端末装置のベースバンド処理部の機能構成について説明する。
【０１１８】
ベースバンド信号処理部１０８は、レイヤ１処理部１０８１と、ＭＡＣ処理部１０８２と、ＲＬＣ処理部１０８３と、ＳＲＳトリガーフォーマット受信部１０８４と、下りリンク制御チャネル受信部１０８５と、ＳＲＳ送信設定部１０８６とを有している。
【０１１９】
レイヤ１処理部１０８１は、主に物理レイヤに関する処理をする。レイヤ１処理部１０８１では、例えば、下りリンクで受信した信号に対して、チャネル復号化、離散フーリエ変換（ＤＦＴ）周波数デマッピング、逆フーリエ変換（ＩＦＦＴ）、データ復調等の処理が行われる。また、上りリンクで送信する信号に対して、チャネル符号化、データ変調、周波数マッピング、逆フーリエ変換（ＩＦＦＴ）等の処理を行う。
【０１２０】
ＭＡＣ処理部１０８２は、下りリンクで受信した信号に対するＭＡＣレイヤでの再送制御（ＨＡＲＱ）、下りリンクに対するスケジューリング情報の解析（ＰＤＳＣＨの伝送フォーマットの特定、ＰＤＳＣＨのリソースブロックの特定）等を行う。また、ＭＡＣ処理部１０８２は、上りリンクで送信する信号に対するＭＡＣ再送制御、上りスケジューリング情報の解析（ＰＵＳＣＨの伝送フォーマットの特定、ＰＵＳＣＨのリソースブロックの特定等の処理）等を行う。
【０１２１】
ＲＬＣ処理部１０８３は、上りリンクで受信したパケット、およびアプリケーション部１１２から受け取る下りリンクで送信するパケットに対して、パケットの分割、パケットの結合、ＲＬＣレイヤでの再送制御等をする。
【０１２２】
ＳＲＳトリガーフォーマット受信部１０８４は、無線基地局装置で設定された前記ＳＲＳのトリガーの有無とＳＲＳパラメータに関する情報の一部とが組合わされてビット情報として規定されたＳＲＳトリガーフォーマットを受信する。また、ＳＲＳトリガーフォーマットはＲＲＣシグナリング等により受信することができる。
【０１２３】
下りリンク制御チャネル受信部１０８５は、下りリンク制御チャネルに割当てられたＳＲＳの送信内容（ＳＲＳのトリガーの有無やＳＲＳの送信条件等）が規定された所定のビット情報を受信する。そして、ＳＲＳトリガーフォーマット受信部１０８４で受信したＳＲＳトリガーフォーマットに基づいて、ＳＲＳの送信内容を特定する。
【０１２４】
ＳＲＳ送信設定部１０８６は、下りリンク制御チャネル受信部１０８５において特定したＳＲＳの送信内容に基づいて、ＳＲＳの送信を制御する。具体的には、特定したＳＲＳの送信内容がＳＲＳを未送信とする（ＳＲＳをトリガーしない）情報である場合には、ＳＲＳの送信は行わない。一方、特定したＳＲＳの送信内容がＳＲＳをトリガーする情報である場合には、移動端末装置に通知されたＳＲＳパラメータが規定する送信条件に基づいてＳＲＳの送信を行う。
【０１２５】
なお、ここでは、下りリンク制御チャネル受信部１０８５においてＳＲＳの送信内容を特定する構成を示しているが、ＳＲＳ送信設定部１０８６でＳＲＳの送信内容を特定する構成としてもよい。この場合、下りリンク制御チャネル受信部１０８５で受信した所定のビット情報をＳＲＳ送信設定部１０８６に供給し、ＳＲＳ送信設定部１０８６でＳＲＳの送信内容を特定すると共に、ＳＲＳの送信を制御する。
【０１２６】
また、上記実施の形態２で示したように、周期ＳＲＳと非周期ＳＲＳを組み合わせて適用する場合、ＳＲＳ送信設定部１０８６は、無線基地局装置から通知されるＳＲＳ送信制御情報に基づいて非周期のＳＲＳを無線基地局装置に対して送信すると共に、所定の周期で無線基地局装置に対して周期ＳＲＳを送信する。さらに、ＳＲＳ送信設定部１０８６は、周期ＳＲＳと非周期ＳＲＳの送信タイミングの衝突を回避するため、周期ＳＲＳと非周期ＳＲＳの送信タイミングが同一サブフレームで重なる場合に、いずれか一方のＳＲＳの送信を優先的に行う。又は、ＳＲＳ送信設定部１０８６は、周期ＳＲＳと非周期ＳＲＳの送信タイミングを異なるサブフレームに設定する。
【０１２７】
なお、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【符号の説明】
【０１２８】
１００  移動端末装置
１０２  送受信アンテナ
１０４  アンプ部
１０６  送受信部
１０８  ベースバンド信号処理部
１１０  呼処理部
１１２  アプリケーション部
１０８１  レイヤ１処理部
１０８２  ＭＡＣ処理部
１０８３  ＲＬＣ処理部
１０８４  ＳＲＳトリガーフォーマット受信部
１０８５  下りリンク制御チャネル受信部
１０８６  ＳＲＳ送信設定部
２００  無線基地局装置
２０２  送受信アンテナ
２０４  アンプ部
２０６  送受信部
２０８  ベースバンド信号処理部
２１０  呼処理部
２１２  伝送路インターフェース
２０８１  レイヤ１処理部
２０８２  ＭＡＣ処理部
２０８３  ＲＬＣ処理部
２０８４  ＳＲＳトリガーフォーマット設定部
２０８５  ＳＲＳ設定部
２０８６  下りリンク制御チャネル設定通知部
【図１】
0005562932.tif 000002
【図２】
0005562932.tif 000003
【図３】
0005562932.tif 000004
【図４】
0005562932.tif 000005
【図５】
0005562932.tif 000006
【図６】
0005562932.tif 000007
【図７】
0005562932.tif 000008
【図８】
0005562932.tif 000009
【図９】
0005562932.tif 000010
【図１０】
0005562932.tif 000011
【図１１】
0005562932.tif 000012
【図１２】
0005562932.tif 000013
【図１３】
0005562932.tif 000014
【図１４】
0005562932.tif 000015
【図１５】
0005562932.tif 000016